(57)【特許請求の範囲】
【請求項１】
光源基板と、
該光源基板の第１主面に配された光源と、
前記光源の光出射側を覆うと共に、前記光源からの光を拡散するレンズ部材と、
前記光源基板の前記第１主面に配され、前記レンズ部材を支持する複数の支持部材と、
前記光源基板の第１主面側に配され、貫通孔を有する反射シートと、
前記光源基板の第２主面と対向する底板を有し、前記光源基板と前記光源と前記レンズ部材と複数の前記支持部材と前記反射シートとを収容する収容部材と、を備え、
前記光源と複数の前記支持部材は、前記反射シートの前記貫通孔を貫通しており、
前記反射シートは、前記貫通孔の縁部から該貫通孔の内側に突出する突出部を有し、
前記突出部は、複数の前記支持部材の間に収容されていることを特徴とする照明装置。
【請求項２】
光源基板と、
該光源基板の第１主面側に配された光源と、
前記光源基板の前記第１主面に配され、前記光源を支持する複数の支持部材と、
前記光源基板の第１主面側に配され、貫通孔を有する反射シートと、
前記光源基板の第２主面と対向する底板を有し、前記光源基板と前記光源と複数の前記支持部材と前記反射シートとを収容する収容部材と、を備え、
複数の前記支持部材は、前記反射シートの前記貫通孔を貫通しており、
前記反射シートは、前記貫通孔の縁部から該貫通孔の内側に突出する突出部を有し、
前記突出部は、複数の前記支持部材の間に収容されていることを特徴とする照明装置。
【請求項３】
１つの前記貫通孔に対して複数の前記突出部が設けられていることを特徴とする請求項１又は請求項２に記載の照明装置。
【請求項４】
複数の前記突出部は、それぞれ等しい形状及び大きさで設けられていることを特徴とする請求項３に記載の照明装置。
【請求項５】
複数の前記突出部は、それぞれ等間隔で配されていることを特徴とする請求項３又は請求項４に記載の照明装置。
【請求項６】
複数の前記突出部は、その先端が前記レンズ部材又は前記光源の中心部からそれぞれ等しい距離となるように設けられていることを特徴とする請求項３から請求項５のいずれか１項に記載の照明装置。
【請求項７】
前記反射シートの前記突出部は、その先端が、前記光源基板とは反対側に折れ曲がっていると共に、前記レンズ部材又は前記光源に当接した状態で複数の前記支持部材の間に収容されていることを特徴とする請求項１から請求項６のいずれか１項に記載の照明装置。
【請求項８】
請求項１から請求項７のいずれか１項に記載の照明装置からの光を利用して表示を行う表示パネルを備えることを特徴とする表示装置。
【請求項９】
前記表示パネルが液晶を用いた液晶パネルであることを特徴とする請求項８に記載の表示装置。
【請求項１０】
請求項８又は請求項９に記載の表示装置を備えることを特徴とするテレビ受信装置。
【発明の詳細な説明】
【技術分野】
【０００１】
本発明は、照明装置、表示装置及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。【０００３】
バックライト装置として、液晶パネルに対してその背面から光を直接供給する直下型のバックライト装置が知られている。このようなバックライト装置では、ＬＥＤ等の光源が配された基板上に反射シートが配されることがある。【０００４】
特許文献１に、ＬＥＤ光源が配された基板上に反射シートが配された直下型のバックライト装置が開示されている。このバックライト装置は、ＬＥＤ光源と、複数のＬＥＤ光源が配された基板と、ＬＥＤ光源の出光面側に対向して配される拡散板と、基板上に配された複数のスペーサと、基板上に載置される反射シートとを備えている。反射シートには、複数の貫通孔が設けられており、基板上に配された光源とスペーサは貫通孔を貫通している。このバックライト装置では、複数のスペーサによって基板と拡散板との間の距離を一定に保つことにより、バックライト装置の表示面の輝度ムラを防止ないし抑制することができる。
【先行技術文献】
【特許文献】
【０００５】
【特許文献１】特開２０１０−１５８５３号公報
【０００６】
（発明が解決しようとする課題）
しかしながら、特許文献１に記載のバックライト装置では、ＬＥＤ光源の近傍に発生する熱や反射シートの位置ずれ等によって反射シートの一部に浮きが生じる場合がある。この場合、ＬＥＤ光源からの光が反射シートによって遮蔽され、バックライト装置の表示性能が低下する虞がある。
【発明の概要】
【０００７】
本発明は、上記の課題に鑑みて創作されたものである。本発明は、直下型の照明装置において、反射シートの浮きを防止ないし抑制できる技術を提供することを目的とする。
【０００８】
（課題を解決するための手段）
本明細書で開示される技術は、光源基板と、該光源基板の第１主面に配された光源と、前記光源の光出射側を覆うと共に、前記光源からの光を拡散するレンズ部材と、前記光源基板の前記第１主面に配され、前記レンズ部材を支持する複数の支持部材と、前記光源基板の第１主面側に配され、貫通孔を有する反射シートと、前記光源基板の第２主面と対向する底板を有し、前記光源基板と前記光源と前記レンズ部材と複数の前記支持部材と前記反射シートとを収容する収容部材と、を備え、前記光源と複数の前記支持部材は、前記反射シートの前記貫通孔を貫通しており、前記反射シートは、前記貫通孔の縁部から該貫通孔の内側に突出する突出部を有し、前記突出部は、複数の前記支持部材の間に収容されている照明装置に関する。
【０００９】
上記の照明装置によると、突出部が複数の支持部材の間に収容されることにより、突出部が光源基板とレンズ部材との間に係止される。このため、反射シートの浮きを防止ないし抑制することができる。
【００１０】
本明細書で開示される技術の他の態様は、光源基板と、該光源基板の第１主面側に配された光源と、前記光源基板の前記第１主面に配され、前記光源を支持する複数の支持部材と、前記光源基板の第１主面側に配され、貫通孔を有する反射シートと、前記光源基板の第２主面と対向する底板を有し、前記光源基板と前記光源と複数の前記支持部材と前記反射シートとを収容する収容部材と、を備え、複数の前記支持部材は、前記反射シートの前記貫通孔を貫通しており、前記反射シートは、前記貫通孔の縁部から該貫通孔の内側に突出する突出部を有し、前記突出部は、複数の前記支持部材の間に収容されている照明装置に関する。
【００１１】
上記の照明装置によると、突出部が複数の支持部材の間に収容されることにより、突出部が光源基板と光源との間に係止される。このため、反射シートの浮きを防止ないし抑制することができる。
【００１２】
１つの前記貫通孔に対して複数の前記突出部が設けられていてもよい。
この構成によると、複数の突出部が複数の支持部材の間に収容されることによって、反射シートの浮きを効果的に防止ないし抑制することができる。
【００１３】
複数の前記突出部は、それぞれ等しい形状及び大きさで設けられていてもよい。また、複数の前記突出部は、それぞれ等間隔で配されていてもよい。また、複数の前記突出部は、その先端が前記レンズ部材又は前記光源の中心部からそれぞれ等しい距離となるように設けられていてもよい。
この構成によると、複数の突出部が光源基板とレンズ部材又は光源との間に係止される際に、各突出部に加わる荷重を均等にすることができる。これにより、反射シートの浮きを効果的に防止ないし抑制することができる。
【００１４】
反射シートの前記突出部は、その先端が、前記光源基板とは反対側に折れ曲がっていると共に、前記光源又は前記レンズ部材に当接した状態で複数の前記支持部材の間に収容されていてもよい。
この構成によると、突出部の先端が光源基板とは反対側に湾曲して光源又はレンズ部材に当接することにより、突出部の先端が光源基板と光源又はレンズ部材との間に挟持される。これにより、反射シートの浮きを効果的に抑制することができる。
【００１５】
本明細書で開示される技術は、上記の照明装置からの光を利用して表示を行う表示パネルと、を備える表示装置として表現することもできる。また、当該表示パネルを、液晶を用いた液晶パネルとする表示装置も、新規で有用である。また、上記の表示装置を備えるテレビ受信装置も、新規で有用である。上記の表示装置およびテレビによると、表示領域の大面積化を実現することが可能となる。
【００１６】
（発明の効果）
本明細書で開示される技術によれば、直下型の照明装置において、反射シートの浮きを防止ないし抑制できる技術を提供することができる。
【図面の簡単な説明】
【００１７】
【図１】実施形態１に係るテレビ受信装置ＴＶの分解斜視図を示す。
【図２】液晶表示装置１０の分解斜視図を示す。
【図３】液晶表示装置１０の断面図を示す。
【図４】反射シート２６とレンズ部材３２の平面図を示す。
【図５】反射シート２６の平面図を示す。
【図６】ＬＥＤ基板３０の表側に配された反射シート２６とレンズ部材３２を拡大した断面図を示す。
【図７】ＬＥＤ基板３０の表側に配された反射シート２６とレンズ部材３２を拡大した斜視図を示す。
【図８】実施形態２に係る反射シート１２６とＬＥＤ光源１２８の平面図を示す。
【図９】ＬＥＤ基板１３０の表側に配された反射シート１２６とレンズ部材１３２を拡大した側面図を示す。
【発明を実施するための形態】
【００１８】
＜実施形態１＞
図面を参照して実施形態１を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。
【００１９】
図１は、第１実施例に係るテレビ受信装置ＴＶの分解斜視図を示している。図１に示すように、テレビ受信装置ＴＶは、液晶表示装置１０と、当該液晶表示装置１０を挟むようにして収容する表裏両キャビネットＣａ、Ｃｂと、電源Ｐと、チューナーＴと、スタンドＳと、を備えている。液晶表示装置１０は、全体として横長の方形を成し、縦置き状態で収容されている。
【００２０】
図２は、液晶表示装置１０の分解斜視図を示している。図３は、液晶表示装置１０の鉛直方向の断面図を示している。ここで、図２及び図３に示す上側を表側とし、同図下側を裏側とする。図２に示すように、液晶表示装置１０は、表示パネルである液晶パネル１６と、外部光源であるバックライト装置２４とを備え、これらが枠状をなすベゼル１２などにより一体的に保持されるようになっている。
【００２１】
続いて、液晶表示装置１０を構成する液晶パネル１６及びバックライト装置２４について説明する。液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２２】
バックライト装置２４は、図２に示すように、バックライトシャーシ２２と、光学部材１８（拡散板１８ａと、拡散板１８ａの表側に配される複数の光学シート１８ｂ）と、フレーム１４とを備えている。バックライトシャーシ２２は、表側（光出射側、液晶パネル１６側）に開口した略箱型をなしている。光学部材１８は、バックライトシャーシ２２の表側に、バックライトシャーシ２２の開口を覆うようにして配されている。フレーム１４は、バックライトシャーシ２２の長辺に沿って配され、光学部材１８の長辺縁部をバックライトシャーシ２２との間に挟んで保持している。
【００２３】
バックライトシャーシ２２内には、点状の複数のＬＥＤ（Light Emitting Diode）光源２８が配されたＬＥＤ基板３０と、外縁部材２０とが収容されている。外縁部材２０は、バックライトシャーシ２２の短辺縁部に配されており、ＬＥＤ光源２８からの光を内側に指向する。なお、バックライト装置２４は、ＬＥＤ基板３０よりも拡散板１８ａ側が光出射側となっており、液晶パネル１６に対してその裏側から拡散板１８ａを介して直接光が供給される直下型のバックライト装置である。
【００２４】
バックライトシャーシ２２は、例えばアルミ系材料などの金属製とされ、平面視で矩形状を成す底板２２ａと、底板２２ａの両長辺から立ち上がり略Ｕ字状に折り返された長辺側外縁２２ｂと、底板２２ａの両短辺から立ち上がり略Ｕ字状に折り返された短辺側外縁２２ｃとから成る浅い略箱型に板金成形されている。さらに、バックライトシャーシ２２の長辺側外縁２２ｂの上面には、図３に示すように、固定孔２２ｄが穿設されており、例えば、ベゼル１２、フレーム１４、及びバックライトシャーシ２２等を一体化することが可能とされている。
【００２５】
バックライトシャーシ２２の底板２２ａの表側には、樹脂製のＬＥＤ基板３０が敷設されている。ＬＥＤ基板３０の表側には、反射シート２６が敷設されている。さらに、ＬＥＤ基板３０の表側には、整列配置された複数のＬＥＤ光源２８と、各ＬＥＤ光源２８の光出射側を覆うようにして配された複数のレンズ部材３２が設けられている。反射シート２６の表側には複数の貫通孔２７（図４、図５参照）が設けられ、ＬＥＤ光源２８とレンズ部材３２は反射シート２６の貫通孔２７を貫通して表側に露出している。なお、バックライトシャーシ２２の底板２２ａの裏側には、ＬＥＤ光源２８に駆動電力を供給する電源回路基板２５が取り付けられている。
【００２６】
ＬＥＤ光源２８は、白色発光するものであり、例えば赤色、緑色、青色の３種類のＬＥＤチップ（図示しない）が面実装された構成としてもよく、あるいは、青色発光素子に、黄色の領域に発光ピークを持つ蛍光体を塗布することにより白色発光するものとしたものであってもよい。また、青色発光素子に、緑色と赤色の領域にそれぞれ発光ピークを持つ蛍光体を塗布することにより白色発光するものとしたものであってもよい。また、青色発光素子に、緑色の領域に発光ピークを持つ蛍光体を塗布すると共に、赤色発光素子を組み合わせることにより白色発光するものとしたものであってもよい。また、ＬＥＤ光源２８は、青色発光素子と、緑色発光素子と、赤色発光素子と、を組み合わせることにより白色発光するものとしたものであってもよい。また、紫外光発光素子と、蛍光体と、を組み合わせたものであってもよい。特に、紫外光発光素子に、青色と緑色と赤色にそれぞれ発光ピークを持つ蛍光体を塗布することにより白色発光するものとしたものであってもよい。
【００２７】
レンズ部材３２は、空気より高い屈折率を有する透明な部材（例えば、アクリルやポリカーボネイト）により形成され、ＬＥＤ光源８０から出射される光を屈折させることで、拡散する機能を担っている。レンズ部材３２は、平面視において円形状を成し、その中心にＬＥＤ光源２８が配置される構成となっており、ＬＥＤ光源２８の表側を覆う形で配されている。なお、レンズ部材３２の構成については、後で詳しく説明する。
【００２８】
反射シート２６は、合成樹脂製とされ、その表面が光反射性に優れた白色とされており、バックライトシャーシ２２の底板２２ａの内面に沿ってそのほぼ全域を覆うように敷かれている。そして、ＬＥＤ光源２８から出射された光を拡散板１８ａ側に反射させることが可能となっている。
【００２９】
光学部材１８を構成する拡散板１８ａは、合成樹脂製の板状部材に光散乱粒子が分散配合されてなり、点状の光源であるＬＥＤ光源２８から出射される点状の光を拡散する機能を有すると共に、ＬＥＤ光源２８の出射光を反射する光反射機能も併用している。また、拡散板１８ａの表側に配される光学シート１８ｂは、拡散板１８ａ側から順に、拡散シート、レンズシート、反射型偏光板が積層されたものであり、ＬＥＤ光源２８から出射され、拡散板１８ａを通過した光を面状の光とする機能を有する。光学シート１８ｂの表側には液晶パネル１６が設置され、この光学シート１８ｂは拡散板１８ａと液晶パネル１６とにより挟持されている。また、拡散板１８ａには、その裏側（ＬＥＤ光源２８と対向する側の面）に白色のドットパターンを成す円形状の複数の光反射部４０が形成されている。光反射部４０は、拡散板１８ａ自身の面内の光反射率に対して相対的に大きな光反射率を有している。
【００３０】
続いて、バックライトシャーシ２２内に収容されているレンズ部材３２及び反射シート２６の構成について説明する。図４は、レンズ部材３２と反射シート２６を表側から視た平面図を示している。図５は、反射シート２６の平面図を示している。図６は、ＬＥＤ基板３０の表側に配されたレンズ部材３２と反射シート２６を拡大した断面図であって、レンズ部材３２と反射シート２６をＬＥＤ光源２８の中心を通るＹ−Ｚ平面で切ったときの断面構成を示している。図７は、ＬＥＤ基板３０の表側に配されたＬＥＤ光源２８及びレンズ部材３２の１つを拡大した斜視図を示している。
【００３１】
レンズ部材３２は、図４、図６及び図７に示すように、平面視円形の平板状を成す基部３２ａと、扁平な半球状を成す半球部３２ｂとを備えている。レンズ部材３２の周縁部付近には、軸状の３つの脚部３１ａ、３１ｂ、３１ｃが基部３２ａの裏側から突設されている。３つの脚部３１ａ、３１ｂ、３１ｃは平面視でレンズ部材３２の中心部から、ほぼ等間隔（約１２０度間隔）で配置されており（図４参照）、例えば接着剤や熱硬化性樹脂等によりＬＥＤ基板３０の表面に接着されている。レンズ部材３２は、脚部３１ａ、３１ｂ、３１ｃによってＬＥＤ基板３０の表面に支持されている。
【００３２】
レンズ部材３２の頭頂部（拡散板１８ａと対向する側（即ち光出射側）の頂部）には、図６に示すように、略すり鉢状を成す第１凹部３２ｃが形成されている。第１凹部３２ｃの内周面は、断面視で円弧状を成している。また、レンズ部材３２の下面（ＬＥＤ光源２８側）には、ＬＥＤ光源２８の真上に対応する箇所を表側（図６の上側、即ち拡散板１８ａ側）に凹ませることで、略円錐形状を成す第２凹部３２ｄが形成されている。第２凹部３２ｄは、その側壁がＬＥＤ光源２８と対向する形で傾斜した構成を有している。このような構成によって、ＬＥＤ光源２８からの光は、レンズ部材３２と空気の境界で広角に屈折し、ＬＥＤ光源２８の周囲に拡散されることとなる。
【００３３】
反射シート２６には、図４及び図５に示すように、ＬＥＤ基板３０の表面に載置される際に各ＬＥＤ光源２８及び各レンズ部材３２と対応する位置に、複数の貫通孔２７が設けられている。各貫通孔２７は、レンズ部材３２の基部３２ａの外縁より一回り大きな略円形状を成しており、ＬＥＤ光源２８及びレンズ部材３２が貫通するように形成されている。
【００３４】
反射シート２６の貫通孔２７の縁部２７ａには、貫通孔２７の内側に突出する３つの突出部２６ａ、２６ｂ、２６ｃが形成されている。３つの突出部２６ａ、２６ｂ、２６ｃは、それぞれ等しい形状及び大きさで設けられ、貫通孔２７の中心から、ほぼ等間隔（約１２０度間隔）で配置されている。また、３つの突出部２６ａ、２６ｂ、２６ｃは、その先端がレンズ部材３２の中心部（第１凹部３２ｃ）からそれぞれ等しい距離となるように設けられている。そして、貫通孔２７をレンズ部材３２が貫通した状態では、図４、図７に示すように、３つの突出部２６ａ、２６ｂ、２６ｃがレンズ部材３２の３つの脚部３１ａ、３１ｂ、３１ｃの間にそれぞれ位置することとなる。即ち、脚部３１ａと脚部３１ｂの間に突出部２６ｂが収容され、脚部３１ｂと脚部３１ｃの間に突出部２６ｃが収容され、脚部３１ｃと脚部３１ａの間に突出部２６ａが収容された状態となる。
【００３５】
さて、反射シート２６をＬＥＤ基板３０の表面に敷設する場合、まず、ＬＥＤ光源２８とレンズ部材３２が実装されたＬＥＤ基板３０に対し、貫通孔２７の位置とレンズ部材３２との位置が対応するように位置決めする。この場合、貫通孔２７の３つの突出部２６ａ、２６ｂ、２６ｃが、平面視においてレンズ部材３２の３つの脚部３１ａ、３１ｂ、３１ｃの間にそれぞれ位置するように位置決めする。
【００３６】
この状態で反射シート２６を下していくと（ＬＥＤ基板３０に近づけていくと）、貫通孔２７の各突出部２６ａ、２６ｂ、２６ｃがレンズ部材３２の基部３２ａの外縁上面３２ａ１と当接する。さらに反射シート２６を下していくと、各突出部２６ａ、２６ｂ、２６ｃがレンズ部材３２の基部３２ａの側面３２ａ２によって貫通孔２７の縁部２７ａを基点として上方に（ＬＥＤ光源２８の光出射側に）折り曲げられながら、レンズ部材３２が貫通孔２７を貫通する。そして貫通孔２７の各突出部２６ａ、２６ｂ、２６ｃがレンズ部材３２の基部３２ａの外縁側面３２ａ２の下端まで達すると、各突出部２６ａ、２６ｂ、２６ｃは、その折り曲げ反発力によってレンズ部材３２の脚部３１ａ、３１ｂ、３１ｃの間にそれぞれ入り込む。
【００３７】
貫通孔２７の各突出部２６ａ、２６ｂ、２６ｃは、その先端がレンズ部材３２の基部３２ａの下面３２ａ３と当接しながらレンズ部材３２の脚部３１ａ、３１ｂ、３１ｃの間に入り込む。このため、反射シート２６がＬＥＤ基板３０の表面に敷設されると、各突出部２６ａ、２６ｂ、２６ｃは、その先端がレンズ部材３２の基部３２ａの下面３２ａ３との間の摩擦力によって当該下面３２ａ３と当接した状態で、レンズ部材３２とＬＥＤ基板３０との間に挟持される（図６参照）。これにより、突出部２６ａ、２６ｂ、２６ｃが上下方向（Ｚ軸方向）へ動くことが規制され、反射シート２６の浮きが効果的に防止ないし抑制される。
【００３８】
以上のように本実施形態に係るバックライト装置２４では、反射シート２６に設けられた貫通孔２７の突出部２６ａ、２６ｂ、２６ｃが脚部３１ａ、３１ｂ、３１ｃの間に収容されることにより、突出部２６ａ、２６ｂ、２６ｃがＬＥＤ基板３０とレンズ部材３２との間に係止される。このため、反射シート２６の浮きを防止ないし抑制することができ、バックライト装置２４の表示性能の低下を防止することができる。
【００３９】
また、本実施形態に係るバックライト装置２４では、１つの貫通孔２７に対して３つの突出部２６ａ、２６ｂ、２６ｃが設けられている。このため、３つの突出部２６ａ、２６ｂ、２６ｃが３つの脚部３１ａ、３１ｂ、３１ｃの間にそれぞれ収容されることによって、反射シートの浮きを効果的に防止ないし抑制することができる。
【００４０】
また、本実施形態に係るバックライト装置２４では、３つの突出部２６ａ、２６ｂ、２６ｃが、それぞれ等しい形状及び大きさで設けられ、それぞれ等間隔で配されている。さらに、３つの突出部２６ａ、２６ｂ、２６ｃは、その先端がレンズ部材３２の中心部からそれぞれ等しい距離となるように設けられている。このため、３つの突出部２６ａ、２６ｂ、２６ｃがＬＥＤ基板３０とレンズ部材３２との間に係止される際に、各突出部２６ａ、２６ｂ、２６ｃに加わる荷重を均等にすることができる。これにより、反射シート２６の浮きを効果的に防止ないし抑制することができる。
【００４１】
また、本実施形態に係るバックライト装置２４では、反射シート２６に設けられた貫通孔２７の突出部２６ａ、２６ｂ、２６ｃの先端が、ＬＥＤ基板３０とは反対側に（ＬＥＤ光源２８の光出射側に）折れ曲がっていると共に、レンズ部材３２の基部３２ａの下面３２ａ３と当接した状態で３つの脚部３１ａ、３１ｂ、３１ｃの間に収容されている。このため、突出部２６ａ、２６ｂ、２６ｃの先端がＬＥＤ基板３０とレンズ部材３２との間に挟持され、反射シート２６の浮きを効果的に抑制することができる。
【００４２】
＜実施形態２＞
図面を参照して実施形態２を説明する。図８は、実施形態２に係るバックライト装置における反射シート１２６とＬＥＤ光源２８を表側から視た平面図を示している。図９は、ＬＥＤ基板１３０の表側に配された反射シート１２６とレンズ部材１３２を拡大した側面図であって、射シート１２６とレンズ部材１３２を水平方向左側（図９の左側）から視たときの側面図を示している。実施形態２は、ＬＥＤ光源１２８がレンズ部材で覆われていない点及びＬＥＤ光源２８に脚部が設けられている点で実施形態１のものと異なっている。その他の構成については実施形態１と同じであるため、構造、作用、および効果の説明は省略する。
【００４３】
実施形態２に係るバックライト装置では、ＬＥＤ光源１２８の光出射側がレンズ部材に覆われておらず、表側（拡散板側）に露出している。また、ＬＥＤ光源１２８は平面視で横長の方形を成しており、ＬＥＤ光源１２８の短辺側の縁部付近には、平板状の２つの脚部１３１ａ、１３１ｂがＬＥＤ光源１２８の裏側から突設されている。２つの脚部１３１ａ、１３１ｂは、その板面が鉛直方向（Ｙ軸方向）に沿って互いに平行となるように配置されており、ＬＥＤ基板１３０の表面に接着されている。ＬＥＤ光源１２８は、脚部１３１ａ、１３１ｂによってＬＥＤ基板１３０の表面に支持されている。
【００４４】
一方、反射シート１２６には、ＬＥＤ基板１３０の表面に載置される際に各ＬＥＤ光源１２８と対応する位置に、複数の貫通孔１２７が設けられている。各貫通孔１２７は、ＬＥＤ光源１２８の外縁より一回り大きな方形を成しており、ＬＥＤ光源１２８が貫通するように形成されている。
【００４５】
反射シート１２６の貫通孔１２７の縁部１２７ａには、貫通孔１２７の内側に突出する２つの突出部１２６ａ、１２６ｂが設けられている。２つの突出部１２６ａ、１２６ｂは、それぞれ等しい形状及び大きさで設けられ、貫通孔１２７の長辺側の縁部１２７ａにそれぞれ配置されている。そして、貫通孔１２７をＬＥＤ光源１２８が貫通した状態では、２つの突出部１２６ａ、１２６ｂは、図８に示すように、ＬＥＤ光源１２８の２つの脚部１３１ａ、１３１ｂの間にそれぞれ位置することとなる。
【００４６】
さて、反射シート１２６をＬＥＤ基板１３０の表面に敷設する場合、実施形態１の場合と同様に、ＬＥＤ光源１２８が実装されたＬＥＤ基板１３０に対し、貫通孔１２７の位置とＬＥＤ光源１２８の位置が対応するように位置決めする。この場合、貫通孔１２７の２つの突出部１２６ａ、１２６ｂが、平面視においてレンズ部材１３２の２つの脚部１３１ａ、１３１ｂの間にそれぞれ位置するように位置決めする。
【００４７】
この状態で反射シート１２６を下していくと、実施形態１の場合と同様に、貫通孔１２７の各突出部１２６ａ、１２６ｂがＬＥＤ光源１２８の側面１２８ｂによって貫通孔１２７の縁部１２７ａを基点として上方に折り曲げられながら、ＬＥＤ光源１２８が貫通孔１２７を貫通する。そして各突出部１２６ａ、１２６ｂがＬＥＤ光源１２８の側面１２８ｂの下端まで達すると、各突出部１２６ａ、１２６ｂは、ＬＥＤ光源１２８の脚部１３１ａ、１３１ｂの間にそれぞれ入り込む。
【００４８】
貫通孔１２７の各突出部１２６ａ、１２６ｂは、その先端がＬＥＤ光源１２８の下面１２８と当接しながらＬＥＤ光源１２８の脚部１３１ａ、１３１ｂの間に入り込む。このため、反射シート１２６がＬＥＤ基板１３０の表面に敷設されると、突出部１２６ａ、１２６ｂは、その先端がＬＥＤ光源１２８の下面１２８ｃとの間の摩擦力によって当該下面１２８ｃと当接した状態で、ＬＥＤ光源１２８とＬＥＤ基板３０との間に挟持される（図９参照）。これにより、突出部１２６ａ、１２６ｂが上下方向（Ｚ軸方向）へ動くことが規制され、反射シート１２６の浮きが効果的に防止ないし抑制される。
【００４９】
以上のように実施形態２に係るバックライト装置では、反射シート１２６に設けられた貫通孔１２７の２つの突出部１２６ａ、１２６ｂが２つの脚部３１ａ、３１ｂの間にそれぞれ収容されることにより、突出部１２６ａ、１２６ｂがＬＥＤ基板１３０とＬＥＤ光源１２８との間に係止される。このため、反射シート１２６の浮きを効果的に防止ないし抑制することができる。
【００５０】
また、実施形態２に係るバックライト装置では、反射シート１２６に設けられた貫通孔１２７の突出部１２６ａ、１２６ｂの先端が、ＬＥＤ基板１３０とは反対側（ＬＥＤ光源１２８の光出射側）に折れ曲がっていると共に、ＬＥＤ光源１２８に当接した状態で２つの脚部３１ａ、３１ｂの間に収容されている。このため、突出部１２６ａ、１２６ｂの先端がＬＥＤ基板１３０とＬＥＤ光源１２８との間に挟持され、反射シート１２６の浮きを効果的に抑制することができる。
【００５１】
各実施形態の構成と本発明の構成との対応関係を記載しておく。ＬＥＤ基板３０、１３０が「光源基板」の一例である。また、ＬＥＤ光源２８、１２８が「光源」の一例である。また、脚部３１ａ、３１ｂ、３１ｃ、１３１ａ、１３１ｂが「支持部材」の一例である。また、バックライトシャーシ２２が「収容部材」の一例である。また、バックライト装置２４、１２４が「照明装置」の一例である。
【００５２】
上記の各実施形態の変形例を以下に列挙する。
（１）上記の各実施形態では、突出部の先端が折れ曲がった状態で脚部の間に収容されている構成を採用したが、突出部の先端が折れ曲がっていない状態で脚部の間に収容される構成を採用してもよい。この場合、ＬＥＤ光源及び／又はレンズ部材が実装されていないＬＥＤ基板の表面に予め反射シートを敷設し、脚部の高さを反射シートの厚みと同じ幅とすることにより、突出部をＬＥＤ基板とＬＥＤ光源又はレンズ部材との間に挟持させることができる。
【００５３】
（２）上記の各実施形態では、突出部の先端がＬＥＤ基板とＬＥＤ光源又はレンズ部材との間に挟持される構成を採用したが、突出部の先端がＬＥＤ基板とＬＥＤ光源又はレンズ部材との間に挟持されない構成を採用してもよい。この場合、反射シートがわずかに浮き上がると突出部の先端がＬＥＤ光源又はレンズ部材の下面と当接し、反射シートがそれ以上に浮くことを防止ないし抑制することができる。
【００５４】
（３）上記の各実施形態では、ＬＥＤ基板の表面にスペーサが設けられていない構成を採用したが、ＬＥＤ基板の表面にスペーサを設け、貫通孔にスペーサを貫通させることにより、このスペーサによってＬＥＤ基板と拡散板との間の距離を規制される構成を採用してもよい。
【００５５】
（４）上記の各実施形態以外にも、脚部及び突出部の配置、形態、数等については適宜に変更可能である。
【００５６】
（５）上記の各実施形態では、表示パネルとして液晶パネルを用いた液晶表示装置を例示したが、他の種類の表示パネルを用いた表示装置にも本発明は適用可能である。
【００５７】
（６）上記の各実施形態では、チューナーを備えたテレビ受信装置を例示したが、チューナーを備えない表示装置にも本発明は適用可能である。
【００５８】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００５９】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６０】
ＴＶ：テレビ受信装置、Ｃａ、Ｃｂ：キャビネット、Ｔ：チューナー、Ｓ：スタンド、１０：液晶表示装置、１２：ベゼル、１４：フレーム、１６：液晶パネル、１８光学部材、１８ａ：拡散板、１８ｂ：光学シート、２０：外縁部材、２２：バックライトシャーシ、２２ａ：底板、２２ｂ：長辺側外縁、２２ｃ：短辺側外縁、２２ｄ：固定孔、２４：バックライト装置、２５：電源回路基板、２６、１２６：反射シート、２６ａ、２６ｂ、２６ｃ、１２６ａ、１２６ｂ：突出部、２７、１２７：貫通孔、２８、１２８：ＬＥＤ光源、３０、１３０：ＬＥＤ基板、３１ａ、３１ｂ、３１ｃ、１３１ａ、１３１ｂ：脚部、３２：レンズ部材、３２ａ：基部、３２ｂ：半球部、３２ｃ：第１凹部、３２ｄ：第２凹部。４０：光反射部
【図１】
0005390704.tif 000002
【図２】
0005390704.tif 000003
【図３】
0005390704.tif 000004
【図４】
0005390704.tif 000005
【図５】
0005390704.tif 000006
【図６】
0005390704.tif 000007
【図７】
0005390704.tif 000008
【図８】
0005390704.tif 000009
【図９】
0005390704.tif 000010